(57)【要約】【課題】  各機器で構成されるシステムの物理的若しくは論理的構造の一覧が可能で機器の増減に対応可能なネットワーク接続機器操作システムを実現する。【解決手段】  ネットワークに接続された機器の操作を行うネットワーク接続機器操作システムにおいて、ネットワークに接続されシステムを構成する機器と、機器の状況を監視しシステム構成に変化が生じた場合或いは表示要求があった場合に追加若しくは削除された機器の情報を取得して詳細情報として格納すると共に物理的構造表示及び論理的構造表示を生成させる管理サーバと、この管理サーバにアクセスして物理的構造表示若しくは論理的構造表示を取得して表示させるコンピュータとを設ける。【選択図】                    図１
2005100071.tif 000002
【特許請求の範囲】
【請求項１】
ネットワークに接続された機器の操作を行うネットワーク接続機器操作システムにおいて、
ネットワークに接続されシステムを構成する機器と、
前記機器の状況を監視しシステム構成に変化が生じた場合或いは表示要求があった場合に追加若しくは削除された機器の情報を取得して詳細情報として格納すると共に物理的構造表示及び論理的構造表示を生成させる管理サーバと、
この管理サーバにアクセスして前記物理的構造表示若しくは前記論理的構造表示を取得して表示させるコンピュータと
を備えたことを特徴とするネットワーク接続機器操作システム。
【請求項２】
前記管理サーバが、
Ｗｅｂサーバ手段と、
前記物理的構造表示を生成して前記Ｗｅｂサーバ手段に格納する物理的構造表示生成手段と、
前記論理的構造表示を生成して前記Ｗｅｂサーバ手段に格納する論理的構造表示生成手段と、
前記機器の状況を監視しシステム構成に変化が生じた場合或いは表示要求があった場合に追加若しくは削除された機器の情報を取得して前記詳細情報として前記Ｗｅｂサーバ手段に格納すると共に前記物理的構造表示生成手段及び前記論理的構造表示生成手段に前記物理的構造表示及び前記論理的構造表示を生成させる制御手段とから構成されることを特徴とする
請求項１記載のネットワーク接続機器操作システム。
【請求項３】
前記コンピュータが、
前記物理的構造表示若しくは前記論理的構造表示に表示された特定の機器が選択された場合に前記選択された機器に関する前記詳細情報を前記管理サーバ若しくは前記Ｗｅｂサーバから取得して表示させることを特徴とする
請求項１若しくは請求項２記載のネットワーク接続機器操作システム。
【請求項４】
前記コンピュータが、
表示画面を２分割して一方に前記物理的構造表示若しくは前記論理的構造表示を表示させ、他方に前記詳細情報を表示させることを特徴とする
請求項３記載のネットワーク接続機器操作システム。
【請求項５】
前記物理的構造表示は、
物理的な配置に基づき前記システムを構成する前記機器をツリー状に表示していることを特徴とする
請求項１乃至請求項４のいずれかに記載のネットワーク接続機器操作システム。
【請求項６】
前記論理的構造表示は、
前記機器の種類毎にシステムを構成する機器をツリー状に表示していることを特徴とする
請求項１乃至請求項４のいずれかに記載のネットワーク接続機器操作システム。
【請求項７】
ネットワークに接続されたエアコン若しくは空調装置が存在する建物に適用したことを特徴とする
請求項１乃至請求項６のいずれかに記載のネットワーク接続機器操作システム。
【発明の詳細な説明】
【技術分野】
【０００１】
本発明は、ネットワークに接続されたセンサや測定器等の機器の操作等を行うネットワーク接続機器操作システムに関し、特に各機器で構成されるシステムの物理的若しくは論理的構造の一覧が可能で機器の増減に対応可能なネットワーク接続機器操作システムに関する。
【背景技術】
【０００２】
従来の接続されたセンサや測定器等の機器の操作等を行うネットワーク接続機器操作システムに関連する先行技術文献としては次のようなものがある。
【０００３】
【特許文献１】特開平０６−３２６７０６号公報
【特許文献２】特開平１０−２９４７３１号公報
【特許文献３】特開平１１−３３１２７０号公報
【特許文献４】特開平１１−３４０９８０号公報
【特許文献５】特開２００１−０５３７７９号公報
【０００４】
図１１はこのような従来のネットワーク接続機器操作システムの一例を示す構成ブロック図である。図１１において１は遠隔地等からネットワークに接続された機器の操作等を行うコンピュータ、２及び３はＷｅｂサーバ機能を有しネットワークに接続されたカメラ、センサや測定器等の機器（以下、必要に応じてネットワーク接続機器と呼ぶ。）、１００はインターネットやＬＡＮ（Local Area Network）等の汎用のネットワークである。また、機器２及び３はシステムを構成している。
【０００５】
コンピュータ１はネットワーク１００に接続され、機器２及び３もまたネットワーク１００に接続される。
【０００６】
ここで、図１１に示す従来例の動作を図１２及び図１３を用いて詳細に説明する。図１２はコンピュータ１の動作を説明するフロー図、図１３はコンピュータ１の表示画面の一例を示す説明図である。
【０００７】
図１２中”Ｓ００１”においてコンピュータ１は、ネットワーク１００経由で機器２若しくは機器３のＷｅｂ（World Wide Web）サーバ機能（以下、単にＷｅｂサーバと呼ぶ。）にアクセスし、図１２中”Ｓ００２”においてコンピュータ１は、当該ＷｅｂサーバからＷｅｂページを取得して表示手段上に表示させる。
【０００８】
そして、図１２中”Ｓ００３”においてコンピュータ１は、システムを構成する全ての機器のＷｅｂページを表示したか否かを判断して、全てのＷｅｂページを表示していないと判断した場合には図１２中”Ｓ００１”のステップに戻る。
【０００９】
例えば、コンピュータ１は図１３中”ＤＳ０１”に示す表示画面には図１３中”ＷＰ０１”に示すように”ネットワーク接続機器Ａ”から取得したＷｅｂページを表示させると共に図１３中”ＷＰ０２”に示すように”ネットワーク接続機器Ｂ”から取得したＷｅｂページを表示させる。
【００１０】
そして、このように表示されたＷｅｂページ上のボタンを操作したり、数値を入力する等により、当該Ｗｅｂページを介してネットワーク接続機器の操作を行うことができる。
【００１１】
この結果、コンピュータ１がネットワーク１００を介して個々のネットワーク接続機器のＷｅｂサーバにアクセスして表示画面上に各ネットワーク接続機器のＷｅｂページをそれぞれ表示させ、表示されたＷｅｂページ上のボタンを操作する等により、ネットワーク接続機器の操作を行うことが可能になる。
【発明の開示】
【発明が解決しようとする課題】
【００１２】
しかし、図１１に示すような従来例では、各機器毎にＷｅｂページを表示しなければならず、システムを構成する全ての機器の物理的構造等の一覧ができないと言った問題点があった。
【００１３】
また、必要に応じて各機器の配置を表示する画面を静的に表示させることは可能であるものの、機器の増減に動的に対応することができないと言った問題点があった。
従って本発明が解決しようとする課題は、各機器で構成されるシステムの物理的若しくは論理的構造の一覧が可能で機器の増減に対応可能なネットワーク接続機器操作システムを実現することにある。
【課題を解決するための手段】
【００１４】
このような課題を達成するために、本発明のうち請求項１記載の発明は、
ネットワークに接続された機器の操作を行うネットワーク接続機器操作システムにおいて、
ネットワークに接続されシステムを構成する機器と、前記機器の状況を監視しシステム構成に変化が生じた場合或いは表示要求があった場合に追加若しくは削除された機器の情報を取得して詳細情報として格納すると共に物理的構造表示及び論理的構造表示を生成させる管理サーバと、この管理サーバにアクセスして前記物理的構造表示若しくは前記論理的構造表示を取得して表示させるコンピュータとを備えたことにより、各機器で構成されるシステムの物理的若しくは論理的構造の一覧が可能で機器の増減に対応が可能になる。
【００１５】
請求項２記載の発明は、
請求項１記載の発明であるネットワーク接続機器操作システムにおいて、
前記管理サーバが、
Ｗｅｂサーバ手段と、前記物理的構造表示を生成して前記Ｗｅｂサーバ手段に格納する物理的構造表示生成手段と、前記論理的構造表示を生成して前記Ｗｅｂサーバ手段に格納する論理的構造表示生成手段と、前記機器の状況を監視しシステム構成に変化が生じた場合或いは表示要求があった場合に追加若しくは削除された機器の情報を取得して前記詳細情報として前記Ｗｅｂサーバ手段に格納すると共に前記物理的構造表示生成手段及び前記論理的構造表示生成手段に前記物理的構造表示及び前記論理的構造表示を生成させる制御手段とから構成されることにより、各機器で構成されるシステムの物理的若しくは論理的構造の一覧が可能で機器の増減に対応が可能になる。
【００１６】
請求項３記載の発明は、
請求項１若しくは請求項２記載の発明であるネットワーク接続機器操作システムにおいて、
前記コンピュータが、
前記物理的構造表示若しくは前記論理的構造表示に表示された特定の機器が選択された場合に前記選択された機器に関する前記詳細情報を前記管理サーバ若しくは前記Ｗｅｂサーバから取得して表示させることにより、各機器で構成されるシステムの物理的若しくは論理的構造の一覧が可能で機器の増減に対応が可能になる。
【００１７】
請求項４記載の発明は、
請求項３記載の発明であるネットワーク接続機器操作システムにおいて、
前記コンピュータが、
表示画面を２分割して一方に前記物理的構造表示若しくは前記論理的構造表示を表示させ、他方に前記詳細情報を表示させることにより、各機器で構成されるシステムの物理的若しくは論理的構造の一覧が可能で機器の増減に対応が可能になる。
【００１８】
請求項５記載の発明は、
請求項１乃至請求項４のいずれかに記載の発明であるネットワーク接続機器操作システムにおいて、
前記物理的構造表示は、
物理的な配置に基づき前記システムを構成する前記機器をツリー状に表示していることにより、各機器で構成されるシステムの物理的構造の一覧が可能で機器の増減に対応が可能になる。
【００１９】
請求項６記載の発明は、
請求項１乃至請求項４のいずれかに記載の発明であるネットワーク接続機器操作システムにおいて、
前記論理的構造表示は、
前記機器の種類毎にシステムを構成する機器をツリー状に表示していることにより、各機器で構成されるシステムの論理的構造の一覧が可能で機器の増減に対応が可能になる。
【００２０】
請求項７記載の発明は、
請求項１乃至請求項６のいずれかに記載の発明であるネットワーク接続機器操作システムにおいて、
ネットワークに接続されたエアコン若しくは空調装置が存在する建物に適用したことにより、各機器で構成されるシステムの物理的若しくは論理的構造の一覧が可能で機器の増減に対応が可能になる。
【発明の効果】
【００２１】
本発明によれば次のような効果がある。
請求項１，２，３，４，５，６及び請求項７の発明によれば、管理サーバがネットワークに接続されたシステムを構成する機器の状況を監視して、システム構成に変化が生じた場合には、追加、若しくは、削除された機器の情報を取得して詳細情報として格納すると共に物理的構造表示及び論理的構造表示を生成させることにより、各機器で構成されるシステムの物理的若しくは論理的構造の一覧が可能で機器の増減に対応が可能になる。
【発明を実施するための最良の形態】
【００２２】
以下本発明を図面を用いて詳細に説明する。図１は本発明に係るネットワーク接続機器操作システムの一実施例を示す構成ブロック図である。図１において４は遠隔地等からネットワークに接続された機器の操作等を行うコンピュータ、５及び６はネットワークに接続されたカメラ、センサや測定器等の機器（以下、必要に応じてネットワーク接続機器と呼ぶ。）、７はシステムを構成する機器を統括管理しＷｅｂサーバ機能を有する管理サーバ、１０１はインターネットやＬＡＮ（Local Area Network）等の汎用のネットワークである。また、機器５及び６はシステムを構成している。
【００２３】
コンピュータ４はネットワーク１０１に接続され、機器５及び６もまたネットワーク１０１に接続される。さらに、管理サーバ７もネットワーク１０１に接続される。
【００２４】
図２は管理サーバ７の具体例を示す構成ブロック図であり、図２において８はＣＰＵ（Central Processing Unit）等の制御手段、９はＷｅｂ（World Wide Web）サーバ手段、１０は物理的構造表示を生成する物理的構造表示生成手段、１１は論理的構造表示を生成する論理的構造表示生成手段である。
【００２５】
制御手段８及びＷｅｂサーバ９はネットワーク１０１（図示せず。）にそれぞれ接続され、制御手段８の入出力がＷｅｂサーバ手段９、物理的構造表示生成手段１０及び論理的構造表示生成手段１１に相互に接続される。
【００２６】
ここで、図１に示す実施例の動作を図３、図４、図５、図６、図７、図８、図９及び図１０を用いて詳細に説明する。
【００２７】
図３は工場内の機器の配置の状況の一例を説明する説明図、図４及び図５は管理サーバ７の動作を説明するフロー図、図６はコンピュータ４の動作を説明するフロー図、図７はコンピュータ４の表示画面の一例を示す説明図、図８は物理的構造表示の表示画面の一例を示す説明図、図９は論理的構造表示の表示画面の一例を示す説明図、図１０は詳細情報の表示画面の一例を示す説明図である。
【００２８】
図３中”ＦＡ１１”に示すような工場内は、図３中”ＡＲ１１”、”ＡＲ１２”及び”ＡＲ１３”に示すような３つのエリアに分割され、更に、図３中”ＡＲ１３”に示すエリアは、図３中”ＺＮ１１”、”ＺＮ１２”及び”ＺＮ１３”に示す３つのゾーンに分割されている。
【００２９】
そして、図３中”ＺＮ１３”に示すゾーンには、図３中”ＣＭ１１”に示すような監視カメラ、図３中”ＭＥ１１”、”ＭＥ１２”及び”ＭＥ１３”に示すような測定器がそれぞれ配置されている。
【００３０】
さらに、図３中”ＭＥ１１”に示す測定器には図３中”ＳＮ１１”、”ＳＮ１２”及び”ＳＮ１３”に示すセンサが接続され、図３中”ＭＥ１２”に示す測定器には図３中”ＳＮ２１”、”ＳＮ２２”及び”ＳＮ２３”に示すセンサが接続され、図３中”ＭＥ１３”に示す測定器には図３中”ＳＮ３１”、”ＳＮ３２”及び”ＳＮ３３”に示すセンサが接続されている。
【００３１】
図４中”Ｓ１０１”において管理サーバ７は、ネットワーク１０１に接続されたシステムを構成する機器の状況を監視すると共にシステム構成に変化が生じたか否かを判断する。
【００３２】
もし、システム構成に変化が生じたと判断した場合には、図４中”Ｓ１０２”において管理サーバ７は、追加、若しくは、削除された機器の情報を取得して詳細情報として格納すると共に図４中”Ｓ１０３”において取得した情報から物理的構造表示を生成し、図４中”Ｓ１０４”において取得した情報から論理的構造表示を作成する。
【００３３】
具体的には、制御手段８がネットワーク１０１に接続されたシステムを構成する機器の状況を監視して、システム構成に変化が生じたと判断した場合には、制御手段８は、追加、若しくは、削除された機器の情報を取得して詳細情報としてＷｅｂサーバ手段９に格納すると共に物理的構造表示生成手段１０に物理的構造表示を生成させ、論理的構造表示生成手段１１に論理的構造表示を生成させる。
【００３４】
さらに、制御手段８は、物理的構造表示生成手段１０及び論理的構造表示生成手段１１がそれぞれ生成した物理的構造表示及び論理的構造表示をＷｅｂサーバ手段９に格納させる。
【００３５】
一方、図５中”Ｓ２０１”において管理サーバ７は、コンピュータ４から物理的構造表示の要求があったか否かを判断し、物理的構造表示の要求があったと判断した場合には、図５中”Ｓ２０２”においてコンピュータ４に対して物理的構造表示を送信し、物理的構造表示の要求がなかったと判断した場合には、図５中”Ｓ２０３”においてコンピュータ４に対して論理的構造表示を送信する。
【００３６】
具体的には、Ｗｅｂサーバ手段９は、コンピュータ４から物理的構造表示の要求があったと判断した場合には、物理的構造表示生成手段１０で生成されて格納されている物理的構造表示をコンピュータ４に送信する。
【００３７】
また、コンピュータ４から物理的構造表示の要求がなかったと判断した場合には、言い換えれば、論理的構造表示の要求があったと判断した場合、論理的構造表示生成手段１１で生成されて格納されている論理的構造表示をコンピュータ４に送信する。
【００３８】
その後、図５中”Ｓ２０４”において管理サーバ７は、物理的構造表示、若しくは、論理的構造表示においてある特定の機器が選択されているか否かを判断し、特定の機器が選択されていると判断した場合には、図５中”Ｓ２０５”において選択された機器の詳細情報を送信する。
【００３９】
具体的には、Ｗｅｂサーバ手段９は、コンピュータ４から特定の機器の詳細情報の要求があったと判断した場合には、格納されている当該特定の機器に関する詳細情報をコンピュータ４に送信する。
【００４０】
図６中”Ｓ３０１”においてコンピュータ４は、ネットワーク１０１を介して管理サーバ７のＷｅｂサーバ手段９にアクセスし、図６中”Ｓ３０２”において物理的構造表示、若しくは、論理的構造表示をＷｅｂサーバ手段９から取得して表示手段に表示させる。
【００４１】
また、図６中”Ｓ３０３”においてコンピュータ４は、表示画面上で機器の選択操作があったか否かを判断し、もし、機器の選択操作があったと判断した場合には、図６中”Ｓ３０”においてコンピュータ４は、当該選択操作のあった機器に関する詳細情報をＷｅｂサーバ手段９から取得して表示手段に表示させる。
【００４２】
例えば、図７中”ＤＳ４１”に示すコンピュータ４の表示画面上は、図７中”ＴＲ４１”に示すように物理的構造表示、若しくは、論理的構造表示を表示させる領域と、図７中”ＣＴ４１”に示すような詳細情報を表示させる領域との２つに分割されている。
【００４３】
そして、図７中”ＴＲ４１”に示す領域には図８に示すような物理的構造表示、若しくは、図９に示すような論理的構造表示が表示される。
【００４４】
図８においてツリー状に表示されている構造図に記載されている記号は図３に記載した記号と同一であり、図８に示す物理的構成表示は、工場内のエリアやゾーン等の物理的な配置に基づきシステムを構成する機器をツリー状に表示している。
【００４５】
例えば、図８に示す物理的構造表示からは、図８中”ＡＲ１３”に示すエリアは図８中”ＺＮ１１”、”ＺＮ１２”及び”ＺＮ１３”に示す３つのゾーンに分割されていることが分かり、さらに、図８中”ＺＮ１３”に示すゾーンには図８中”ＭＥ１１”、”ＭＥ１２”及び”ＭＥ１３”に示す３台の測定器と図８中”ＣＭ１１”に示す１台の監視カメラがそれぞれ設置されていることが分かる。
【００４６】
さらに、例えば、図８中”ＭＥ１１"に示す測定器には図８中”ＳＮ１１”、”ＳＮ１２”及び”ＳＮ１３”に示す３つのセンサが接続されていることが分かる。
【００４７】
一方、図９においてツリー状に表示されている構造図に記載されている記号は図３に記載した記号と同一であり、図８に示す論理的構成表示には、監視カメラや測定器と言った機器の種類毎にシステムを構成する機器をツリー状に表示している。
【００４８】
例えば、図９に示す論理的構造表示からは、”測定器”は図９中”ＡＲ１１”、”ＡＲ１２”及び”ＡＲ１３”に示す３つのエリアに設置されており、さらに、図９中”ＡＲ１３”に示すエリアは図９中”ＺＮ１１”、”ＺＮ１２”及び”ＺＮ１３”に示す３つのゾーンに分割されていることが分かる。
【００４９】
そして、例えば、図９中”ＺＮ１３”に示すゾーンには図９中”ＭＥ１１”、”ＭＥ１２”及び”ＭＥ１３”に示す３台の測定器がそれぞれ設置されていることが分かり、図９中”ＭＥ１１"に示す測定器には図９中”ＳＮ１１”、”ＳＮ１２”及び”ＳＮ１３”に示す３つのセンサが接続されていることが分かる。
【００５０】
このように表示されている物理的構造表示、若しくは、論理的構造表示において”ＭＥ１１”等の測定器や、”ＳＮ１１”等のセンサを画面上で選択すれば、図７中”ＣＴ４１”に示す領域に図１０に示すような選択されたセンサ等に対応する詳細情報（監視カメラであれば撮影画像、温度センサであれば温度のトレンドグラフ等）が表示される。
【００５１】
例えば、図１０は温度センサに対応する詳細情報の表示例であり、図１０中”ＢＴ５１”、”ＢＴ５２”若しくは”ＢＴ５２”に示すボタンを操作することにより、温度センサの”ＯＮ”、”ＯＦＦ”の制御、若しくは、リセットの制御を行うことができる。また、例えば、図１０中”ＧＲ５１”には温度のトレンドグラフが表示される。
【００５２】
この結果、管理サーバ７がネットワーク１０１に接続されたシステムを構成する機器の状況を監視して、システム構成に変化が生じた場合には、追加、若しくは、削除された機器の情報を取得して詳細情報として格納すると共に物理的構造表示及び論理的構造表示を生成させることにより、各機器で構成されるシステムの物理的若しくは論理的構造の一覧が可能で機器の増減に対応が可能になる。
【００５３】
なお、図１に示す実施例では２台の機器を、また、図３に示す一例では１０台の機器をそれぞれ例示しているが、勿論、システムを構成する機器の台数には何ら制限はない。
【００５４】
また、図１（具体的には図３）に示す実施例では工場内に配置された複数の機器で構成されるシステムを例示しているが、勿論、これに限定される訳ではなく、ネットワークに接続された機器が多数存在するシステムであれば適用することは可能である。
【００５５】
例えば、ネットワークに接続された多数のエアコン（空調装置）が存在するホテルやオフィスビル等のビル（建物）に適用することも可能である。
【００５６】
この場合には、各フロアや各客室毎に設置されたエアコン（空調装置）の物理的構造表示をしたり、エアコン（空調装置）等の機器の種類毎に論理的構造表示をしたりすることが可能になる。
【００５７】
また、物理的構造表示、若しくは、論理的構造表示された特定のエアコン（空調機器）を選択することにより、当該エアコン（空調装置）の運転状況を表示させたり、設定温度を変更することが可能になる。
【００５８】
また、図４及び図５に示す管理サーバの動作の説明に際しては、システム構成に変化があった時点で物理的構造表示及び論理的構造表示をそれぞれ作成しているが、管理サーバがコンピュータから物理的構造表示若しくは論理的構造表示の表示要求があった時点物理的構造表示若しくは論理的構造表示を適宜生成しても勿論構わない。
【００５９】
この場合には、管理サーバが必要時に理的構造表示及び論理的構造表示を作成するので、理的構造表示及び論理的構造表示を作成する無駄を低減することが可能になる。
【図面の簡単な説明】
【００６０】
【図１】本発明に係るネットワーク接続機器操作システムの一実施例を示す構成ブロック図である。
【図２】管理サーバの具体例を示す構成ブロック図である。
【図３】工場内の機器の配置の状況の一例を説明する説明図である。
【図４】管理サーバの動作を説明するフロー図である。
【図５】管理サーバの動作を説明するフロー図である。
【図６】コンピュータの動作を説明するフロー図である。
【図７】コンピュータの表示画面の一例を示す説明図である。
【図８】物理的構造表示の表示画面の一例を示す説明図である。
【図９】論理的構造表示の表示画面の一例を示す説明図である。
【図１０】詳細情報の表示画面の一例を示す説明図である。
【図１１】従来のネットワーク接続機器操作システムの一例を示す構成ブロック図である。
【図１２】コンピュータの動作を説明するフロー図である。
【図１３】コンピュータの表示画面の一例を示す説明図である。
【符号の説明】
【００６１】
１，４  コンピュータ
２，３，５，６  機器
７  管理サーバ
８  制御手段
９  Ｗｅｂサーバ手段
１０  物理的構造表示生成手段
１１  論理的構造表示生成手段
１００，１０１  ネットワーク
【図１】
2005100071.tif 000003
【図２】
2005100071.tif 000004
【図３】
2005100071.tif 000005
【図４】
2005100071.tif 000006
【図５】
2005100071.tif 000007
【図６】
2005100071.tif 000008
【図７】
2005100071.tif 000009
【図８】
2005100071.tif 000010
【図９】
2005100071.tif 000011
【図１０】
2005100071.tif 000012
【図１１】
2005100071.tif 000013
【図１２】
2005100071.tif 000014
【図１３】
2005100071.tif 000015